(57)【特許請求の範囲】
【請求項１】
内部に米粒を収納し、これを外部から視認する事ができる材質からなる米粒収納部（１）と、
米粒収納部（１）の上端を線状体（４）で緊締して内部の米粒をこれに封じ込める緊締部（３）と、
緊締部（３）の近傍に固定した造花（５）と、
緊締部（３）の上部に設けられた鰭部（６）と、
を具備することを特徴とするフラワーライス。
【請求項２】
米粒収納部（１）を網目状のシートで構成したことを特徴とする請求項１に記載のフラワーライス。
【請求項３】
米粒収納部（１）を透明シートで形成したことを特徴とする請求項１に記載のフラワーライス。
【請求項４】
上記透明シートはセロハンシートからなることを特徴とする請求項３に記載のフラワーライス。
【請求項５】
フラワーライスを構成するシートと造花は水溶性の材質から構成されていることを特徴とする請求項１に記載のフラワーライス。
【請求項６】
フラワーライスを構成するシートは腐敗自在な材質から構成されていることを特徴とする請求項１に記載のフラワーライス。
【請求項７】
上記緊締部（３）は鰭部（６）を開口したときにその緊締が解ける程度に線状体（４）で緊締されていることを特徴とする請求項１に記載のフラワーライス。
【発明の詳細な説明】
【０００１】
【産業上の利用分野】
本発明は、結婚式後の新郎新婦に振りかける祝福用のライスやフラワーに関するものであり、特に振りかけ後の回収を容易なものとしたライスやフラワーに関するものである。
【０００２】
【従来の技術】
わが国においても、キリスト教の教会で結婚式が行われる。キリスト教の挙式後、新郎・新婦が教会の建物より出る際に、挙式の参列者が米や生花の花びらを彼らに振りかけて結婚を祝福する慣習がある。この米を振りかけることを一般にライスシャワー、生花の花びらを振りかけることを一般にフラワーシャワーという。
【０００３】
【発明が解決しようとする課題】
この振りかけられた米や生花の花びらは、その祝福の意味とは裏腹に教会側、結婚式場側、結婚式場のあるホテル側にとって、単なる塵と化し、その後始末が。大変面倒となっている。即ち、米はそれ自体細かく散らばると掃除が面倒な上に、更には、多数の人に踏みつけられ粉砕される場合も多いため、その掃除は大変面倒であり、時間もかかっていた。また、生花の花びらがまかれた場合も、床等に花びらが付着し、更には多数の人に踏みつけられることにより床等より取り除く清掃が面倒であり、時間もかかっていた。そして、これらの清掃にかなり時間が必要となるため、次の挙式の開始に手間取り、これにより１日に行われる挙式の件数にも影響を及ぼしていた。
【０００４】
本発明は、従来のこのような問題点に鑑みなされたものであり、その目的とするところは、ライスシャワー、フラワシャワーの祝福の意味を損ねる事無く、教会側、結婚式場側、結婚式場を有するホテル側にとって清掃の時間、手間、費用等を軽減すると共に、これまでまかれたままで廃棄されていた米等を記念品として提供する事ができるようなものを提供しようとするものである。
【０００５】
【課題を解決するための手段】
上述の発明の目的を達成するため、本発明の請求項１に記載の発明は、内部に米粒を収納し、これを外部から視認する事ができる材質からなる米粒収納部と、米粒収納部の上端を線状体で緊締して内部の米粒をこれに封じ込める緊締部と、緊締部の近傍に固定した造花と、緊締部の上部に設けられた鰭部と、を具備することを特徴とするフラワーライスを提供する。
本願の請求項２に記載の発明は、請求項１に記載の発明に加えて、米粒収納部を網目状のシートで構成したことを特徴とするフラワーライスを提供する。
本願の請求項３に記載の発明は、請求項１に記載の発明に加えて、米粒収納部を透明シートで形成したことを特徴とするフラワーライスを提供する。
本願の請求項４に記載の発明は、請求項３に記載の発明に加えて、上記透明シートはセロハンシートからなることを特徴とするフラワーライスを提供する。
本願の請求項５に記載の発明は、請求項１に記載の発明に加えて、フラワーライスを構成するシートと造花は水溶性の材質から構成されていることを特徴とするフラワーライスを提供する。
本願の請求項６に記載の発明は、請求項１に記載の発明に加えて、フラワーライスを構成するシートは腐敗自在な材質から構成されていることを特徴とするフラワーライスを提供する。
本願の請求項７に記載の発明は、請求項１に記載の発明に加えて、上記緊締部は鰭部を開口したときにその緊締が解ける程度に線状体で緊締されていることを特徴とするフラワーライスを提供する。
【０００６】
【作用】
米がシートに包まれているので、挙式後のライスシャワーの清掃が簡単かつ短時間でできる。また、鰭部を引っ張れば、緊締部が簡単に解けて内部の米粒を回収することができる。
【０００７】
【実施例】
次に、本発明の実施例を、図面を用いて詳細に説明する。
図１は本発明の実施例の正面図である。図１において、１は米粒収納部である。該米粒収納部１は、たとえば網目あるいは透明なシートで構成し、内部が見えるような構造にする。米粒収納部１には数粒ないし十数粒の米粒２が収納されている。米粒収納部１の上部には緊締部３が形成されていて、米粒収納部１内に収容されている米粒２が外にこぼれ出さないように、たとえば金属線などの線状体４で緊締する。該緊締部３の近傍には、１輪ないし数輪の造花５が取り付けられている。なお、この造花５の茎部を針金で構成し、この針金を上記緊締のための線状体として用いることができる。緊締部３の上部には鰭部６が形成されている。このような構成のものを以後フラワーライスと称することにする。
【０００８】
次に、上記フラワーライスの製法について説明する。まず、１０ｃｍ四方程度の大きさの網目状のシートを用意する。もちろん網目の大きさは内部に収納する米粒が外に漏れ出さないようなメッシュで外部から内部に収納されている米粒が認識できる程度の大きさのメッシュがよい。次に図２に示すように、このシート１０の中央部分に数粒ないし十数粒の米粒２を置き、これを包むようにして、米粒２の収納部分の上部を金属線等の線状体４（図１参照）で緊締する。このように緊締部３を形成し、これの近傍に造花５を取り付ける。もちろん造花５の茎部を構成する針金等を用いて緊締することはかまわない。最後に鰭部６を手指を持って広げてフラワーライスは完成する。
【０００９】
このようにして完成したフラワーライスは、結婚式の参加者に配布されて、教会の出口から出てくる新郎新婦の頭上にフラワーライスを投げかける。フラワーライスは、空気の抵抗が少ない米粒収納部１を先頭にして新郎新婦方向に、あたかもバドミントンのシャットルコックのように飛翔するが、鰭部６の空気抵抗が大きいので、目にも止まらぬスピードで飛翔するようなことはなく、参列者ならびに新郎新婦は、先頭の米粒収納部１には祝福のための米粒が収納されていることが視認でき、また緊締部３近傍のものが、祝福のための造花であることも視認できる。また、飛翔するスピードが低いので、これが新郎や参加者に当たっても衝撃は受けず、怪我を負うこともなく安全である。なお、フラワーライスの飛翔速度は、米粒収納部１に収納する米粒の量並びに鰭部６の開き具合や大きさにより適宜所望のものに調節できる。
【００１０】
祝福のために投げられたこれらのフラワーライスは路上あるいは廊下上に飛散して、塵と化す。参加者はこれを踏みにじることになるが、米粒収納部１は丈夫な網目のシートから構成されているため、簡単には破れず、このため内部の米粒は四方に飛散しない。結婚式の終了後、これら投げられたフラワーライスは適当に回収される。このフラワーライスは米粒と違って形状が桁違いに大きく、また米粒の破壊もほとんどないので、回収作業に多くの手間は掛からず、また回収作業も簡単である。
【００１１】
回収されたフラワーライスは、鰭部６の端部を持って大きく鰭を開くように端部を引っ張る。この動作で頸部を縛っていた線状体４は緊締状態が離れ、シートは大きく広がって中に収納されていた米粒を外部に取り出すことができる。回収された米粒は、人間の食用には供し難いが、動物の飼料や糊などの原料として提供することができる。
【００１２】
上記実施例では、フラワーライスを構成するシートの材質には触れなかったが、これの材質を、ポリビニールアルコール系の合成樹脂のように水溶性のものを用いたり、また紙のように投棄された後に腐敗してしまうような材質のシートを用いると、地球環境に優しいフラワーライスを提供することができる。
【００１３】
このほか、鰭部６に縦方向の切れ目を設けて、フラワーライスを投げかけたとき、複数本に分かれた鰭部がひらひら舞うように見えるように構成しても良く、また、米粒収納部１を透明のセロハンで形成し、鰭部６もまたセロハンで形成し、この部分に上記実施例と同じように切れ目をいれると共に、この部分に所望の色の印刷を施すなどの変形も提供できるが、本発明の主旨の範囲内で種々の変形や応用が可能であり、これらの変形や応用を本発明の範囲から排除するものではない。
【００１４】
【発明の効果】
以上詳細に説明したように、本発明によれば、振りかける米粒を、祝福のために用いるという利用目的を損ねることなく、投げかけるなどの使用後には、米粒収納部１を人が踏んででも、これが内部の米粒を保護するため、米粒は容易に砕けず、後の掃除を困難にすることがなく、またフラワーライスは形状が大きいので、その回収が非常に楽である。加えて、内部の米粒を殆ど１００パーセントに近い量を回収する事ができるため、これを他の用途に転用することもできるという効果もある。
【図面の簡単な説明】
【図１】図１は、本発明の一実施例を示す側面図である。
【図２】図２は、シートを広げた状態を示す正面図である。
【符号の説明】
１・・・・・米粒収納部
２・・・・・米粒
３・・・・・緊締部
４・・・・・線状体
５・・・・・造花
６・・・・・鰭部
１０・・・・・シート
【図１】
0003554610.tif 000002
【図２】
0003554610.tif 000003